【手続補正書】
【提出日】平成17年3月18日(2005.3.18)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、前身頃と後身頃との両側部を接合して両脚周りおよび腰周りにそれぞれ開口を形成し、少なくとも各脚周り開口に沿って弾性伸縮部材を固定して脚周りギャザーを形成してなるパンツタイプ紙おむつに関する。
【０００２】
【従来の技術】
一般に、この種のパンツタイプ紙おむつでは、図１０から図１２に示すように、実質的におむつ外形をなすパンツ形シート１０１の前身頃１０１Ｆと後身頃１０１Ｂとを両側部で接合して両脚周り１０３Ｌ，１０３Ｒおよび腰周りにそれぞれ開口を形成し、その内面側に、不透液性バックシート１２１、吸収材１２２および透液性トップシート１２３をこの順に積層してなる吸収体１２０が固定されている。
【０００３】
また、左脚周り１０３Ｌおよび右脚周り１０３Ｒの各々に脚周りギャザーＧＬ，ＧＲ（図２参照）を形成して横漏れ防止を図るべく、パンツ形シート１０１に対して、その前身頃１０１Ｆの左腰脇部１０２ＦＬから前身頃の左脚周り１０３ＦＬに沿い、さらに股間部１０４を横切り、前身頃の右脚周り１０３ＦＲに沿い前身頃の右腰脇部１０２ＦＲまで連続するように第１の弾性伸縮部材１１０（１１０’，１１０’’）を固定するとともに、その後身頃１０１Ｂの左腰脇部１０２ＢＬから後身頃の左脚周り１０３ＢＬに沿い、さらに股間部１０４を横切って、後身頃の右脚周り１０３ＢＲに沿い後身頃の右腰脇部１０２ＢＲまで連続するように第２の弾性伸縮部材１１１（１１１’，１１１’’）を固定している。一般に弾性伸縮部材は複数本並べて設けられる。
【０００４】
かかるパンツタイプ紙おむつでは、弾性伸縮部材の配設形態が横漏れ防止性能等を左右する。したがって、従来から、様々な弾性伸縮部材の配設形態を採用したパンツタイプ紙おむつが提案されている。
【０００５】
＜従来例１＞
図１０に示すパンツタイプ紙おむつ１００は、第１の弾性伸縮部材１１０と第２の弾性伸縮部材１１１とが股間部１０４において２個所で交差する弾性伸縮部材の配設形態を採用するものである。Ｘ５，Ｘ５は交差個所を示している。本例に該当するものとしては、特開平３−８２４６７号公報や実登３０２４３５７号公報に開示のパンツタイプ紙おむつがある。
【０００６】
＜従来例２＞
図１１に示すパンツタイプ紙おむつ１００’は、第１の弾性伸縮部材１１０’と第２の弾性伸縮部材１１１’とが股間部１０４において交差しない弾性伸縮部材の配設形態を採用するものである。本例に該当するものとしては、実登３０２４３５７号公報に開示のパンツタイプ紙おむつがある。
【０００７】
＜従来例３＞
図１２に示すパンツタイプ紙おむつ１００’’は、第１の弾性伸縮部材１１０’’と第２の弾性伸縮部材１１１’’とを、股間部１０４において２個所で交差させるとともに、これら交差個所Ｘ６，Ｘ６間の第１の弾性伸縮部材１１０’’および第２の弾性伸縮部材１１１’’の両方を切断して形成する、弾性伸縮部材の配設形態を採用するものである。本例に該当するものとしては、特開平６−１９７９２５号公報、特開平６−２５４１１７号公報および特開平６−３２７７１６号公報に開示のパンツタイプ紙おむつがある。
【０００８】
【発明が解決しようとする課題】
しかし、従来の弾性伸縮部材の配設形態を採用するパンツタイプ紙おむつには、下記に示す問題点があった。
【０００９】
（イ）従来例１のパンツタイプ紙おむつでは、交差個所間における第１の弾性伸縮部材と第２の弾性伸縮部材とが約２ｃｍしか離れていなかったため、股間部に対して第１および第２の弾性伸縮部材の両方の収縮力が作用する結果、吸収体が幅方向に収縮するとともに、股間部だけが被着者の体側に持ち上げられていた。したがって、従来例１のパンツタイプ紙おむつは被着者の体に対するフィット性が悪いという問題点を有していた。
【００１０】
同様に、従来例２のパンツタイプ紙おむつでも、股間部に対して第１および第２の弾性伸縮部材の両方の収縮力が作用し、吸収体が幅方向に収縮するとともに、股間部だけが被着者の体側に持ち上げられる結果、被着者の体に対するフィット性が悪いという問題点を有していた。
【００１１】
一方、従来例３のパンツタイプ紙おむつは、第１および第２の弾性伸縮部材の両方が切断されているため、吸収体は幅方向に収縮し難いものの、股間部を被着者の体側に持ち上げる力が弱くなりすぎるため、脚周りに隙間を生じ易いという問題点があった。
【００１２】
そこで、本発明の主たる課題は、被着者の体に対するフィット性を向上させるとともに脚周りに隙間を生じにくくし、もって横漏れ防止性能を向上させることにある。
【００１３】
【課題を解決するための手段】
上記課題を解決した本発明のパンツタイプ紙おむつは、前身頃と後身頃との両側部を接合して、両脚周りおよび腰周りにそれぞれ開口を形成するとともに、その内面側に、不透液性バックシート、吸収材および透液性トップシートをこの順に積層してなる吸収体を備え、
さらに、前身頃の左腰脇部から前身頃の左脚周りに沿い、さらに幅方向中央を横切って前身頃の右脚周りに沿い前身頃の右腰脇部まで連続する第１の弾性伸縮部材と、後身頃の左腰脇部から後身頃の左脚周りに沿い、さらに幅方向中央を横切って後身頃の右脚周りに沿い後身頃の右腰脇部まで連続する第２の弾性伸縮部材とを備え、
これら第１の弾性伸縮部材および第２の弾性伸縮部材によって、左脚周りおよび右脚周りの各々に脚周りギャザーが形成されたパンツタイプ紙おむつにおいて、
前記第１の弾性伸縮部材と前記第２の弾性伸縮部材とが、股間部において少なくとも２個所で交差しており、かつこれら交差個所間における前記第１の弾性伸縮部材と前記第２の弾性伸縮部材とが４ｃｍ以上離れていることを特徴とするものである。
【００１４】
本発明のパンツタイプ紙おむつにおいて、前記交差個所間における前記第１の弾性伸縮部材が前記股間部の前後方向中央部を通り、かつ前記交差個所間における前記第２の弾性伸縮部材が前記前身頃における前記股間部の上側を通るように構成するのは好ましい。逆に、前記交差個所間における前記第１の弾性伸縮部材が前記後身頃における前記股間部の上側を通り、かつ前記交差個所間における前記第２の弾性伸縮部材が前記股間部の前後方向中央部を通るように構成するのも好ましい。さらに、前記交差個所間における前記第１の弾性伸縮部材が前記後身頃における前記股間部の上側を通り、かつ前記交差個所間における前記第２の弾性伸縮部材が前記前身頃における前記股間部の上側を通るように構成することもできる。
【００１５】
また、本発明のパンツタイプ紙おむつにおいて、前記交差個所間における前記第１の弾性伸縮部材および第２の弾性伸縮部材のいずれか一方が切断されているのは好ましい。
【００１６】
さらに、本発明のパンツタイプ紙おむつにおいて、前記前身頃および後身頃の少なくとも一方の胴回りに第３の弾性伸縮部材が固定されているのも好ましい。
【００１７】
＜作用１＞
本発明の紙おむつは、第１の弾性伸縮部材と第２の弾性伸縮部材とを股間部において少なくとも２個所で交差させるとともに、これら交差個所間における第１の弾性伸縮部材と第２の弾性伸縮部材とを４ｃｍ以上離すことを特徴とするものである。これにより、両弾性伸縮部材の収縮力が吸収体の異なる部分に作用し、その結果吸収体の幅方向の収縮量が少なくなるとともに、吸収体が被着者の体側に均一に持ち上げられる。また、第１および第２の弾性伸縮部材が股間部において少なくとも２個所で交差しているので、第１および第２の弾性伸縮部材が脚周り全体に連続し、脚周りに隙間を生じにくい。
【００１８】
したがって、本発明の紙おむつは、従来のものと比べて吸収体の被着者に対するフィット性が良好であり、横漏れも起こりにくいものである。
【００１９】
＜作用２＞
本発明において、交差個所間における第１の弾性伸縮部材が股間部の前後方向中央部を通り、かつ交差個所間における第２の弾性伸縮部材が前身頃における股間部の上側を通るように構成すると、吸収体の股間部前側部分に尿受けポケットが形成される。
【００２０】
＜作用３＞
逆に、本発明において、交差個所間における第１の弾性伸縮部材が後身頃における股間部の上側を通り、かつ交差個所間における第２の弾性伸縮部材が股間部の前後方向中央部を通るように構成すると、吸収体の股間部後側部分に便受けポケットが形成される。
【００２１】
＜作用４＞
さらに、交差個所間における第１の弾性伸縮部材が後身頃における股間部の上側を通り、かつ交差個所間における第２の弾性伸縮部材が前身頃における股間部の上側を通るように構成すると、吸収体の股間部に尿受けおよび便受けポケットが形成される。
【００２２】
＜作用５＞
本発明において、交差個所間における第１の弾性伸縮部材および第２の弾性伸縮部材のいずれか一方が切断されていると、吸収体に作用する幅方向の収縮力が半分になるとともに、切断されていないほうの弾性伸縮部材が吸収体を被着者の体側に持ち上げるように作用する。よって、吸収体の被着者に対するフィット性が向上する。また交差個所間で切断しているので脚周りにおける弾性伸縮部材の連続性も失われない。
【００２３】
＜作用６＞
前身頃および後身頃の少なくとも一方の胴回りに第３の弾性伸縮部材が固定されているパンツタイプ紙おむつに本発明を適用した場合、第１の弾性伸縮部材および／または第２の弾性伸縮部材と第３の弾性伸縮部材との距離が従来よりも短くなる。その結果、第１の弾性伸縮部材および／または第２の弾性伸縮部材の収縮力と、第３の弾性伸縮部材とが相反するように作用し、前身頃および／または後身頃が均一に被着者の体側に押し付けられるようになる。
【００２４】
【発明の実施の形態】
以下、本発明の実施の形態を添付図面を参照しつつ詳述する。
図１は本発明に係るパンツタイプ紙おむつ例Ｐ１の展開状態を示し、図２はパンツタイプ紙おむつＰ１の正面を示し、図３はその底面を示している。すなわち、本例の紙おむつＰ１は、パンツ形シート１と、このパンツ形シート１内面に全体が固定され、股間部４を中心として前後方向に延在する吸収体２０とで構成され、パンツ形シート１の両側部を接合して両脚周り３Ｌ，３Ｒおよび腰周り３０にそれぞれ被着者の脚および腰が通される開口が形成されてなるものである。Ｔは、使用後において紙おむつＰ１を丸めて止めつけるための後処理テープを示しており、通常は後身頃の胴周り４０Ｂ外面の幅方向中央に設けられる。
【００２５】
吸収体２０は従来のものと同様であり、不織布などからなり着用者の肌に直接触れる透液性トップシート２３と、ポリエチレンなどのプラスチックフィルムや撥水処理を施した不織布などからなる不透液性バックシート２１との間に、綿状パルプを主体とし必要によりこれを吸収紙で包んだ吸収材２２を挟み込み、周縁部分を例えばホットメルト接着剤等により接着して形成することができる。
【００２６】
パンツ形シート１は複数枚の不織布を積層固定してなり、それらの間に、前身頃１Ｆの左腰脇部２ＦＬから前身頃の左脚周り３ＦＬに沿い、さらに幅方向中央を横切って前身頃の右脚周り３ＦＲに沿い前身頃の右腰脇部２ＦＲまで連続するように第１の弾性伸縮部材１０が挟まれ固定されるとともに、後身頃１Ｂの左腰脇部２ＢＬから後身頃の左脚周り３ＢＬに沿い、さらに幅方向中央を横切って後身頃の右脚周り３ＢＲに沿い後身頃の右腰脇部２ＢＲまで連続する第２の弾性伸縮部材１１が挟まれ固定されたものである。これら第１および第２の弾性伸縮部材１０，１１により左脚周り３Ｌおよび右脚周り３Ｒのそれぞれに脚周りギャザーＧＬ，ＧＲが形成される。
【００２７】
特に本例の紙おむつＰ１では、第１の弾性伸縮部材１０と第２の弾性伸縮部材１１とが股間部４において２個所で交差しており、かつこれら交差個所間における第１の弾性伸縮部材１０と第２の弾性伸縮部材１１とが４ｃｍ以上（好ましくは６ｃｍ以上）離されている。好適には、図示のように交差個所間における第１の弾性伸縮部材１０が股間部４の前後方向中央部を通り、かつ交差個所間における第２の弾性伸縮部材１１が、前身頃１Ｆにおける股間部４の上側を通るように固定される。
【００２８】
また、本例の紙おむつＰ１では、前身頃１Ｆの腰周り３０Ｆに沿って一方の側端部から他方の側端部まで連続する腰前周り弾性伸縮部材３１Ｆが固定され、後身頃１Ｂの腰周り３０Ｂに沿って一方の側端部から他方の側端部まで連続する腰後周り弾性伸縮部材３１Ｂが固定されており、これら腰前周りおよび腰後周り弾性伸縮部材３１Ｆ，３１Ｂにより腰周り３０に腰周りギャザー３２が形成される。
【００２９】
さらに、本例の紙おむつＰ１では、前身頃１Ｆの胴回り（下腹部周り）４０Ｆに一方の側端部から他方の側端部まで連続する胴前周り弾性伸縮部材４１Ｆが固定され、後身頃１Ｂの胴回り４０Ｂに一方の側端部から他方の側端部まで連続する胴後周り弾性伸縮部材４１Ｂが固定されており、これら胴前周りおよび胴後周り弾性伸縮部材４１Ｆ，４１Ｂにより胴周り４０に胴周りギャザー（図示せず）が形成される。なお、本発明にいう第３の弾性伸縮部材とは、これら胴前周り弾性伸縮部材４１Ｆおよび胴後周り弾性伸縮部材４１Ｂをいう。
【００３０】
かかる弾性伸縮部材の配設形態の利点は次述のとおりである。
（イ）第１および第２の弾性伸縮部材１０，１１が交差個所Ｘ１，Ｘ１間において４ｃｍ以上離れていると、その交差個所Ｘ１，Ｘ１間における両弾性伸縮部材１０，１１の収縮力が吸収体２０の異なる部分にも作用し、それによって吸収体２０の幅方向の収縮量を少なくするとともに、吸収体２０を被着者の体側に均一に持ち上げることができるようになる。また、第１および第２の弾性伸縮部材１０，１１が股間部４において２個所で交差しているので、第１および第２の弾性伸縮部材１０，１１が脚周り３Ｌ，３Ｒに全体に連続し、もって被着者の太股脚周り３Ｌ，３Ｒに隙間を生じさせにくくなる。したがって、本例の紙おむつは、従来のものと比べて吸収体の被着者に対するフィット性が良好であり、横漏れも起こりにくいものである。
【００３１】
（ロ）特に、交差個所間における第２の弾性伸縮部材１１が、前身頃１Ｆにおける股間部４の上側を通るように固定されていると、この第２の弾性伸縮部材１１と前身頃の胴周り４０Ｆに固定された胴前周り弾性伸縮部材４１Ｆとの距離が縮まる。その結果、第２の弾性伸縮部材１１の下方への収縮力と胴前周り弾性伸縮部材４１Ｆの上方への収縮力とにより、前身頃１Ｆの全体が均一に被着者側に押し付けられるようになる。
【００３２】
（ハ）図示例のように、交差個所間における第１の弾性伸縮部材１０が股間部４の前後方向中央部を通り、かつ交差個所間における第２の弾性伸縮部材１１が、前身頃１Ｆにおける股間部４の上側を通るように固定されていると、交差個所間における第１および第２弾性伸縮部材１０，１１間において吸収体２０の幅方向中央部分が外側に膨らむことにより、股間部４前側に尿受けポケットＢ１が形成される。
【００３３】
なお、第１〜第６の弾性伸縮部材１０，１１，３１Ｆ，３１Ｂ，４１Ｆ，４１Ｂは通常図示のように複数本（３、４本）並べて設けるが、一本であっても良い。また第１および第２の弾性伸縮部材１０，１１としては適宜の太さおよび断面形状を有する天然ゴム糸や合成ゴム糸を使用できる。
【００３４】
＜変形例１＞
上記例の紙おむつＰ１は、第１の弾性伸縮部材１０および第２の伸縮部材１１が両方ともに連続する態様を採用するものであるが、交差個所Ｘ１，Ｘ１間において股間部の前後方向中央を横切る第１の弾性伸縮部材１０のみが切断されている態様を採用することもできる。図示しないが、交差個所間における第２の弾性伸縮部材１１のみを切断することもできる。前者の例を図４および図５に示した。Ｐ２は本変形例１に係るパンツタイプ紙おむつを示し、１０Ｌが左側の第１の弾性伸縮部材を示し、１０Ｒが右側の第１の弾性伸縮部材を示し、Ｘ２、Ｘ２は交差個所を示し、Ｂ２は尿受けポケットを示している。
【００３５】
この場合、吸収体２０の股間部分に作用する幅方向の収縮力が半分になるとともに、切断されていないほうの第２の弾性伸縮部材１１が吸収体２０を被着者の体側に持ち上げるように作用する。よって、吸収体２０の被着者に対するフィット性が向上する。また左側の第１の弾性伸縮部材１０Ｌおよび右側の第１の弾性伸縮部材１０Ｒはそれぞれ第２の弾性伸縮部材１１とそれぞれ交差しているので、脚周り３Ｌ，３Ｒにおける弾性伸縮部材の連続性も失われない。
【００３６】
＜変形例２＞
上記紙おむつ例Ｐ１では、交差個所Ｘ１，Ｘ１間における第１の弾性伸縮部材１０が股間部４の前後方向中央部を通り、かつ交差個所Ｘ１，Ｘ１間における第２の弾性伸縮部材１１が、前身頃１Ｆにおける股間部４の上側を通るように固定されている。上記変形例１も同様である。しかし、逆に図６および図７に示すパンツタイプ紙おむつＰ３のように、交差個所Ｘ３，Ｘ３間における第１の弾性伸縮部材１４が後身頃１Ｂにおける股間部４の上側を通り、かつ交差個所Ｘ３，Ｘ３間における第２の弾性伸縮部材１５が股間部４の前後方向中央部を通るようにすることもできる。これにより、交差個所Ｘ３，Ｘ３間における第１および第２弾性伸縮部材１４，１５間において吸収体２０の幅方向中央部分が外側に膨らむことにより、吸収体２０の股間部４後側に便受けポケットＢ３が形成される。
【００３７】
この場合において、交差個所Ｘ３，Ｘ３間における第１の弾性伸縮部材１４および第２の弾性伸縮部材１５のいずれか一方を切断することもできる。
【００３８】
＜変形例３＞
さらに、図８および図９に示すパンツタイプ紙おむつＰ４のように、交差個所Ｘ４，Ｘ４間における第１の弾性伸縮部材１６が後身頃１Ｆにおける股間部４の上側を通り、かつ交差個所Ｘ４，Ｘ４間における第２の弾性伸縮部材１７が前身頃１Ｆにおける股間部４の上側を通るようにすることもできる。これにより、交差個所Ｘ４，Ｘ４間における第１および第２弾性伸縮部材１６，１７間において吸収体２０の幅方向中央部分が外側に膨らむことにより、吸収体２０の股間部分に尿受けおよび便受けポケットＢ４が形成される。
【００３９】
特に本例では、第２の弾性伸縮部材１７と前身頃の胴周り４０Ｆに固定された胴前周り弾性伸縮部材４１Ｆとの距離が縮まるため、第２の弾性伸縮部材１７の下方への収縮力と胴前周り弾性伸縮部材４１Ｆの上方への収縮力とにより前身頃１Ｆの全体が均一に被着者側に押し付けられるだけでなく、第１の弾性伸縮部材１６と後身頃の胴周り４０Ｂに固定された胴後周り弾性伸縮部材４１Ｂとの距離も縮まるため、第１の弾性伸縮部材１６の下方への収縮力と胴後周り弾性伸縮部材４１Ｂの上方への収縮力とにより、後身頃１Ｂの全体も均一に被着者側に押し付けられるようになる。
【００４０】
この場合にも、交差個所Ｘ４，Ｘ４間における第１の弾性伸縮部材１６および第２の弾性伸縮部材１７のいずれか一方を切断することができる。
【００４１】
【発明の効果】
以上の通り、本発明によれば吸収体のフィット性が向上するとともに、脚周りに隙間が生じにくくなり、また横漏れ防止性能が向上する等の利点がもたらされる。
【手続補正２】
【補正対象書類名】明細書
【補正対象項目名】符号の説明
【補正方法】変更
【補正の内容】
【符号の説明】
Ｐ１〜Ｐ４…パンツタイプ紙おむつ、１…パンツ形シート、１Ｆ…前身頃、１Ｂ…後身頃、２ＦＬ…前身頃の左腰脇部、２ＦＲ…前身頃の右腰脇部、２ＢＬ…後身頃の左腰脇部、２ＢＲ…後身頃の右腰脇部、３Ｌ…左脚周り、３Ｒ…右脚周り、３ＦＬ…前身頃の左脚周り、３ＦＲ…前身頃の右脚周り、３ＢＬ…後身頃の左脚周り、３ＢＲ…後身頃の右脚周り、４…股間部、１０…第１の弾性伸縮部材、１１…第２の弾性伸縮部材、２０…吸収体、２１…不透液性バックシート、２２…吸収材、２３…透液性トップシート、ＧＬ…左脚周りギャザー、ＧＲ…右脚周りギャザー、Ｘ１，Ｘ１…交差個所。